(57)【要約】      （修正有）【課題】小型サイズの記録媒体を低速で搬送する際、出口付近で記録媒体が滞留することなくスムーズに排紙を行なう構成の記録装置を提供する。【解決手段】排出口を水平方向と垂直方向を経由してＵターンする経路へと切り替えるフラッパを有し、水平方向に排出するとき、画像記録が終了すると搬送速度を速くして、確実に排紙する。【選択図】  図２
2006326954.tif 000002
【特許請求の範囲】
【請求項１】
画像を記録する記録ヘッドを有し、記録媒体上に画像を形成する画像記録装置において、
前記記録媒体を搬送する搬送手段と、
前記記録媒体の排出口を水平方向と垂直方向を経由してＵターンする経路へと切り替えるフラッパと、
記録解像度を選択する手段と、
その記録解像度に対応した搬送速度を選択する手段とを有し、
前記記録媒体を搬送中に、搬送速度が変更可能な事を特徴とする搬送装置。
【請求項２】
前記記録媒体を搬送中に前記記録ヘッドにより前記記録媒体に記録を行った後、搬送速度を増加させる事を特徴とする請求項１に記載の搬送装置。
【請求項３】
前記記録媒体を搬送中、前記記録ヘッドにより前記記録媒体に記録を開始する位置までの搬送速度が、記録時の搬送速度より高速であることを特徴とする請求項１または２に記載の搬送装置。
【請求項４】
前記搬送速度を増加させるのは、前記排出口が水平方向の時であることを特徴とする請求項２に記載の搬送装置。
【請求項５】
前記請求項１から４の搬送装置を具備した画像形成装置。
【発明の詳細な説明】
【技術分野】
【０００１】
本発明は、画像記録装置の搬送装置に関するものである。
【背景技術】
【０００２】
従来、画像記録装置における搬送装置では、印刷設定に応じた搬送速度で等速に記録媒体を搬送、印刷を行うのが常であった。
【０００３】
特に高解像度の記録装置においては、画像形成中の記録媒体のわずかな搬送速度の変動が、画像上に目視可能なムラや白抜けとなって現れてしまうため、搬送速度は常に一定にして、それをいかに維持するかに技術の重点が置かれていた。
【発明の開示】
【発明が解決しようとする課題】
【０００４】
しかしながら、上記従来例では高画質での印刷を選択した場合、搬送速度は低速に設定されるため、名刺やカードのような小型サイズの記録媒体は排出ローラを離間後、搬送力を失ってしまい、搬送部出口付近に滞留してしまうという問題があった。
【０００５】
本発明の目的は、小型サイズの記録媒体を低速で搬送する際、出口付近で記録媒体が滞留することなくスムーズに排紙を行なう構成の記録装置を提供するものである。
【課題を解決するための手段】
【０００６】
上記目的を達成するため本出願に係る第一の発明に係る搬送装置では、画像を記録する記録ヘッドを有し、該記録ヘッドにより記録媒体上に画像を形成する画像記録装置において、前記記録媒体を搬送する搬送手段と、前記記録媒体の排出口を水平方向と垂直方向を経由してＵターンする経路へと切り替えるフラッパと、記録解像度を選択する手段と、その記録解像度に対応した搬送速度を選択する手段と、前記記録媒体を搬送中に、搬送速度が変更可能な事を特徴としている。
【０００７】
また、前記記録媒体を搬送中に前記記録ヘッドにより記録媒体に記録を行った後、搬送速度を増加させる事を特徴とする。
【０００８】
さらに、前記記録媒体を搬送中、前記記録ヘッドにより前記記録媒体に記録を開始する位置までの搬送速度が、記録時の搬送速度より高速であることを特徴としている。
【０００９】
また、前記搬送速度を増加させるのは、前記排出口が水平方向の時であることを特徴としてもよい。
【００１０】
上記の搬送装置を具備した画像形成装置であってもよい。
【発明の効果】
【００１１】
本発明によれば、印刷設定に応じた印刷終了後、記録媒体の搬送速度を加速させる事により、小型サイズの記録媒体を低速で搬送する際、出口付近で記録媒体が滞留することなくスムーズに排紙を行うことが可能となる。
【発明を実施するための最良の形態】
【００１２】
以下、図１から４を参照して、本発明によるプリンタについて説明する。
【実施例】
【００１３】
図１は本発明におけるプリンタの概略図である。プリンタ１の通紙上流側には給紙装置２が排紙されており、給紙装置００２より記録媒体がプリンタ１へ供給される。
【００１４】
プリンタ１は端末（図示せず）と接続されており、端末の命令によって印刷設定を行う事が可能である。本実施例において端末とプリンタ１は１対１での接続となっているが、ネットワーク等による接続であっても構わない。
【００１５】
図２ａ、図２ｂは本発明における記録媒体の搬送経路を示したものであり、左側が正面。右側が背面である。２１は記録媒体の排出箇所を切り替えるための通紙パス切替フラッパであり、フラッパ切り替えレバー２２の操作により排紙口を正面側２３ａもしくは背面（ストレートパス）側２３ｂへと切り替えることができる。
通紙パス切替フラッパ２１をストレートパス側２３ｂに切り替えるとパス切替センサ０２４が検知し、プリンタはストレートパスモードに切り替わる。
【００１６】
印刷時に設定される項目には、画像解像度、画質等があり、設定に応じて印刷速度が決定される。
端末から印刷コマンドがプリンタ１へ送られると給紙装置２は、記録媒体をプリンタ１へ送り、記録媒体は搬送ローラ２６、２７で搬送されて印刷が行われる。
【００１７】
記録媒体は、印刷設定に応じた搬送速度で搬送部３０上を搬送されていく。
搬送部３０の上部には、記録ヘッド２５が配置されており、記録媒体が記録ヘッド２５直下を通過する際、端末からの記録データに応じて記録ヘッド２５からインクが吐出されて印刷を行う。記録ヘッド２５は、固定されたヘッドであっても、また図２において手前方向と奥方向にスキャンしながら一定のバンド幅ずつ記録していくシリアルスキャン式のヘッドであってもよい。
【００１８】
その後、記録媒体が記録ヘッド２５を通過し記録媒体への印刷が終了すると、プリンタ１は、搬送ローラ２７の回転速度を上げることで、記録媒体の搬送速度を上げる。搬送速度が上がった記録媒体は、通紙パス切替フラッパ２１へ到達し、通過する。その時、搬送ローラ２７の回転速度は十分に速く増速されているので、記録媒体は開口した通紙パス切替フラッパ２１上に滞留することなく、排出口０２３ｂから排出される。この時のフローを図３に示す。
【００１９】
次に第２の実施例として、記録媒体への印刷が開始されるまで記録媒体を高速で搬送する場合について、図２と図４を用いて説明する。
【００２０】
図２ｂにおいて、通紙を開始すると、プリンタ１は記録媒体を印刷位置直前まで画像解像度、画質等の設定に関わらず高速で搬送を行う。その後印刷位置から画像解像度、画質等の印刷設定に対応した搬送速度に減速して搬送を行う。
搬送部３０には記録ヘッド２５が途中配置されており、記録媒体が記録ヘッド２５直下を通過する際、端末からの記録データに応じて記録ヘッド２５からインクが吐出されて印刷を行う。
【００２１】
その後、記録媒体が記録ヘッド２５を通過し記録媒体への印刷が終了すると、プリンタは再び記録媒体の搬送速度を上げる。
搬送速度が上がった記録媒体は第１の実施例と同じく、通紙パス切替フラッパ２１へ到達し、通過する。その時、記録媒体は通紙パス切替フラッパ２１上に滞留することなく排出口へ排出される。
【００２２】
以上、本発明者によってなされた発明を本実施形態に基づき具体的に説明したが、本発明は上記実施形態に限定されるものではなく、その要旨を逸脱しない範囲で種々変形可能であるというのはいうまでもない。
【００２３】
たとえば、記録ヘッド２６は、インクジェット方式のヘッドとして説明したが、これは熱転写ヘッドであってもよい。その場合には、搬送部３０の記録ヘッド２５に相対する部分には、プラテンローラがあることはいうまでもない。
【００２４】
また本実施例では、搬送部３０は搬送ローラ対２６、２７で構成されているが、これは何もローラに限ったことではなく、ベルト搬送でもよい。
【図面の簡単な説明】
【００２５】
【図１】本発明に係るプリンタの斜視図
【図２】本発明に係るプリンタの動作を示す断面図
【図３】第１の実施例のフローチャート
【図４】第２の実施例のフローチャート
【符号の説明】
【００２６】
１  プリンタ
２  給紙装置
２１  パス切り替フラッパ
２２  フラッパ切り替レバー
２３ａ、２３ｂ  排紙口
２４  パス切り替センサ
２５  記録ヘッド
２６  搬送ローラ対
２７  搬送ローラ対
２８  搬送ローラ対
２９  搬送ローラ対
３０  搬送部
【図１】
2006326954.tif 000003
【図２】
2006326954.tif 000004
【図３】
2006326954.tif 000005
【図４】
2006326954.tif 000006